(57)【要約】【課題】撮影者の筐体を把持する状態に起因する手ぶれを低減することが可能な表示制御装置を提供できるようにする。【解決手段】撮像手段が撮影モードであることを検出する撮影モード検出手段と、撮影者が前記撮像装置を把持すべき位置のガイダンスを表示する位置と形状とを決定するガイダンス位置形状決定手段と、前記撮影モードの際に、前記表示装置の表示画面に前記ガイダンスを表示するよう制御するガイダンス表示制御手段とを設け、ユーザが撮像装置のどこを持って撮影すべきかのガイダンスを表示できるようにする。【選択図】図１
2011199756.tif 000002
【特許請求の範囲】
【請求項１】
撮像手段が撮影する被写体及びその他の情報を表示するための表示装置を備えた撮像装置における表示制御装置であって、
前記撮像手段が撮影モードであることを検出する撮影モード検出手段と、
撮影者が前記撮像装置を把持すべき位置のガイダンスを表示する位置と形状とを決定するガイダンス位置形状決定手段と、
前記撮影モードの際に、前記表示装置の表示画面に前記ガイダンスを表示するよう制御するガイダンス表示制御手段と、を有することを特徴とする表示制御装置。
【請求項２】
前記撮影モード検出手段により撮影モードであることを検出すると、前記ガイダンス位置形状決定手段は前記ガイダンスを表示する位置と形状とを決定することを特徴とする請求項１に記載の表示制御装置。
【請求項３】
前記ガイダンス表示制御手段は、前記ガイダンス位置形状決定手段による決定に基づいて、前記表示装置に前記ガイダンスを表示するよう制御することを特徴とする請求項２に記載の表示制御装置。
【請求項４】
前記表示装置はタッチパネルを有し、前記タッチパネルにより前記ガイダンスの表示位置に指が触れたことが検出されると、前記ガイダンス表示制御手段は前記ガイダンスの表示を変化させることを特徴とする請求項１〜３の何れか１項に記載の表示制御装置。
【請求項５】
前記撮像装置の傾きを検出する角度検出手段を有し、
前記角度検出手段により検出された角度に応じて、前記ガイダンス位置形状決定手段は前記ガイダンスを表示する位置と形状とを決定することを特徴とする請求項１〜４の何れか１項に記載の表示制御装置。
【請求項６】
前記撮像装置に取り付けられたレンズの型、または外部ストロボの型を検出するアクセサリー検出手段を有し、前記アクセサリー検出手段による検出に応じて、前記ガイダンス位置形状決定手段は前記ガイダンスを表示する位置と形状とを決定することを特徴とする請求項１〜５の何れか１項に記載の表示制御装置。
【請求項７】
手ぶれを検出する手ぶれ検出手段を有し、前記手ぶれ検出手段により検出される手ぶれ量が予め設定された手ぶれ量より大きい場合、前記ガイダンス表示制御手段は前記ガイダンス位置形状決定手段による決定に基づいて前記ガイダンスを表示するよう制御することを特徴とする請求項１〜６の何れか１項に記載の表示制御装置。
【請求項８】
前記撮像手段が固定撮影であることを検出する固定撮影決定手段を有し、前記固定撮影決定手段により固定撮影であると検出されると、前記ガイダンス表示制御手段は前記ガイダンスを表示しないよう制御することを特徴とする請求項１〜７の何れか１項に記載の表示制御装置。
【請求項９】
撮影者自身の撮影を行うセルフ撮影モードであることを検出するセルフ撮影検出手段を有し、前記セルフ撮影検出手段によりセルフ撮影モードであると検出されると、前記ガイダンス表示制御手段は前記ガイダンスを表示しないよう制御することを特徴とする請求項１〜７の何れか１項に記載の表示制御装置。
【請求項１０】
撮像工程で撮影される被写体及びその他の情報を表示するための表示装置を備えた撮像装置における表示制御方法であって、
前記撮像工程が撮影モードであることを検出する撮影モード検出工程と、
撮影者が前記撮像装置を把持すべき位置のガイダンスを表示する位置と形状とを決定するガイダンス位置形状決定工程と、
前記撮影モードの際に、前記表示装置の表示画面に前記ガイダンスを表示するよう制御するガイダンス表示制御工程と、を有することを特徴とする表示制御方法。
【請求項１１】
撮像工程で撮影される被写体及びその他の情報を表示するための表示装置を備えた撮像装置における表示制御方法の各処理をコンピュータに実行させるプログラムであって、
前記撮像工程が撮影モードであることを検出する撮影モード検出工程と、
撮影者が前記撮像装置を把持すべき位置のガイダンスを表示する位置と形状とを決定するガイダンス位置形状決定工程と、
前記撮影モードの際に、前記表示装置の表示画面に前記ガイダンスを表示するよう制御するガイダンス表示制御工程とをコンピュータに実行させることを特徴とするプログラム。
【請求項１２】
請求項１１に記載のプログラムを記憶したことを特徴とするコンピュータ読み取り可能な記録媒体。
【発明の詳細な説明】
【技術分野】
【０００１】
本発明は表示制御装置及び表示制御方法に関し、特に、撮影者のカメラの筐体を把持する状態に起因する手ぶれを低減するために用いて好適な技術に関するものである。
【背景技術】
【０００２】
近年、デジタルカメラは、カメラの筐体に搭載されるＬＣＤ等の表示手段の大型化が進んでおり、筐体のサイズに対する表示画面の占める割合が大きくなることで筐体を握る面積が狭くなる傾向にある。そのため、表示画面上に指がかかりやすいという理由から、筐体を上下から挟んで把持する方法をとってしまい、手ぶれを発生させてしまうという問題がある。
【０００３】
図１３（ａ）に筐体を上下から挟んで把持する方法を示す。この方法は、人差し指でシャッターを切った動きでカメラが動きやすく、手ぶれが発生しやすい。これに対して、撮影者が安定して筐体を把持できる、筐体を握って把持する方法を図１３（ｂ）に示す。この方法は、筐体のホールド感が高く、安定するため、手ぶれが発生しにくい。
【０００４】
従来、筐体のサイズに対する表示画面の占める割合が大きくなることで、表示画面に指がかかってしまう問題に対して、以下のような技術が開示されている。すなわち、撮影者が筐体を握って把持する際に、表示画面上の撮影者の指がかかる位置にプレビュー画像を表示するのを避けるため、撮影時はプレビュー画像を縮小表示する（例えば、特許文献１参照）。
【先行技術文献】
【特許文献】
【０００５】
【特許文献１】特開平１１−２８９４８４号公報
【発明の概要】
【発明が解決しようとする課題】
【０００６】
しかしながら、特許文献１記載の方法は、筐体を把持する撮影者の手によって表示画面を覆い隠すことがなくプレビュー画像全体を確認できるようにするものであり、撮影者の筐体を把持する指の位置や把持する方法を定めていない。そのため、撮影者の筐体を把持する指の位置や把持する方法によっては、手ぶれを発生させてしまう恐れがある。
本発明は前述の問題点に鑑み、撮影者の筐体を把持する状態に起因する手ぶれを低減することが可能な表示制御装置を提供できるようにすることを目的とする。
【課題を解決するための手段】
【０００７】
本発明の表示制御装置は、撮像手段が撮影する被写体及びその他の情報を表示するための表示装置を備えた撮像装置における表示制御装置であって、前記撮像手段が撮影モードであることを検出する撮影モード検出手段と、撮影者が前記撮像装置を把持すべき位置のガイダンスを表示する位置と形状とを決定するガイダンス位置形状決定手段と、前記撮影モードの際に、前記表示装置の表示画面に前記ガイダンスを表示するよう制御するガイダンス表示制御手段と、を有することを特徴とする。
【発明の効果】
【０００８】
本発明によれば、筐体を安定して把持できるようにガイダンスを表示するようにしたので、撮影者がカメラを把持する状態に起因する手ぶれを低減することができる。
【図面の簡単な説明】
【０００９】
【図１】第１の実施形態に係るデジタルカメラの外観を説明する図である。
【図２】第１の実施形態に係るデジタルカメラの構成ブロックを説明する図である。
【図３】画像表示部に表示されたガイダンスの表示例を示す図である。
【図４】第１の実施形態に係るデジタルカメラの動作を示すフローチャートである。
【図５】ガイダンスの表示位置と形状決定の動作を示すフローチャートである。
【図６】ガイダンスの表示決定の動作例を示すフローチャートである。
【図７】デジタルカメラの第２の動作例を示すフローチャートである。
【図８】ガイダンスの表示位置と形状決定の他の動作を示すフローチャートである。
【図９】メモリに記憶された撮像レンズの重量と重心の情報の説明図である。
【図１０】デジタルカメラの重心位置を原点とするＸ−Ｚ平面に沿う模式図である。
【図１１】撮像レンズ、外部ストロボを考慮したガイダンス表示例を示す図である。
【図１２】撮影者の手を正しい把持の方法へ導くガイダンスの表示例を示す図である。
【図１３】撮影者が筐体を握って把持する方法の一例を示す図である。
【発明を実施するための形態】
【００１０】
以下、図面を参照しながらこの発明による装置、方法の形態について説明する。
最初に、本発明の第１実施形態であるデジタルカメラ（撮像装置）について説明する。
図１に、第１実施形態であるデジタルカメラ（撮像装置）の背面外観図を示す。図１に示すように、デジタルカメラ１００の背面には、撮影する被写体及びその他の各種情報を表示する画像表示部２８が設けられている。
【００１１】
画像表示部２８は、TFT LCD等から成り、デジタルカメラ１００のサイズに対し可能な限り大画面のものが用いられる。タッチパネル６６は光透過性を有し、画像表示部２８の表面に設けられており、画像表示部２８の表示を押すことでデジタルカメラ１００を操作することのできる入力機器である。ガイダンス７０は、撮影者の筐体を把持する状態を適切な把持状態へ導くための表示であり、本実施形態の特徴である。
【００１２】
デジタルカメラ１００の上面には、外部ストロボ（フラッシュ）４８を取り付けるための取り付け部であるホットシュー４９が設けられている。また、各種モードを切り替えるための操作部であるモードスイッチ６０、撮影指示を行うための撮像指示手段であるシャッターボタン６１が設けられている。また、図１には表示されていないが、デジタルカメラ１００の前面には撮像レンズ１０を着脱できるレンズマウント１１が、デジタルカメラ１００の下面には三脚を接続する三脚接続部９４が設けられている。
【００１３】
コネクタ１２２は、接続ケーブルとデジタルカメラ１００とのコネクタである。記録媒体２００は、メモリカードやハードディスク等の記録媒体である。記録媒体スロット２０１は、記録媒体２００を格納するためのスロットである。記録媒体スロット２０１に格納された記録媒体２００は、デジタルカメラ１００との通信が可能となる。蓋２０３は記録媒体スロット２０１の蓋である。
【００１４】
図２は、第１実施形態であるデジタルカメラ（撮像装置）の構成例を示すブロック図である。
図２において、１００はデジタルカメラである。撮像レンズ１０は、モータを含むレンズ駆動機構、絞り機構によって構成されていて、レンズマウント１１において着脱、取り替え可能である。レンズマウント１１に撮像レンズ１０が装着されている場合は、撮像レンズ接続検知部１０６によりシステム制御回路５０はレンズ装着状態を知ることができる。また、不揮発性メモリ５８には撮像レンズ１０に関する所定の情報が予め記憶されており、システム制御回路５０は必要なときに情報を取得することができる。
【００１５】
１２はシャッター、１４は光学像を電気信号に変換する撮像素子、１６は撮像素子１４のアナログ信号出力をデジタル信号に変換するＡ／Ｄ変換器である。１８は撮像素子１４、 Ａ／Ｄ変換器１６、 Ｄ／Ａ変換器２６にクロック信号や制御信号を供給するタイミング発生部であり、メモリ制御部２２及びシステム制御回路５０により制御される。
【００１６】
画像処理部２０は、Ａ／Ｄ変換器１６からのデータ、或いはメモリ制御部２２からのデータに対して所定の画素補間処理や色変換処理を行う。また、画像処理部２０においては、撮像した画像データを用いて所定の演算処理を行い、得られた演算結果に基づいてシステム制御回路５０が制御を行い、AF（オートフォーカス）処理、AE（自動露出）処理、ＥＦ（フラッシュプリ発光）処理を行っている。さらに、画像処理部２０においては、撮像した画像データを用いて所定の演算処理を行い、得られた演算結果に基づいてTTL方式のAWB（オートホワイトバランス）処理も行っている。２２はメモリ制御部であり、Ａ／Ｄ変換器１６、タイミング発生部１８、画像処理部２０、画像表示メモリ２４、Ｄ／Ａ変換器２６、メモリ３０、圧縮・伸長部３２を制御する。
【００１７】
Ａ／Ｄ変換器１６のデータが画像処理部２０、メモリ制御部２２を介して、或いはＡ／Ｄ変換器１６のデータがメモリ制御部２２を介して、画像表示メモリ２４或いはメモリ３０に直接書き込まれる。２４は画像表示メモリ、２６はＤ／Ａ変換器、２７はＤ／Ａ変換器２６の出力を外部モニタに出力するコネクタである。外部出力コネクタ２７にコネクタが挿されている場合は、外部出力コネクタ接続検知部１０４によりシステム制御回路５０は外部出力状態を知ることができる。
【００１８】
２８はTFT LCD等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００１９】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。メモリ３０は、記録媒体２００の書き込みバッファとしても使われる。
【００２０】
３２は適応離散コサイン変換（ＡＤＣＴ）等により画像データを圧縮伸長する圧縮・伸長部であり、メモリ３０に格納された画像を読み込んで圧縮処理或いは伸長処理を行い、処理を終えたデータをメモリ３０に書き込む。４０はシャッター１２を制御する露光制御部であり、外部ストロボ（フラッシュ）４８と連携することによりフラッシュ調光機能も有するものである。
【００２１】
４２は撮像レンズ１０のフォーカシングを制御する測距制御部、４４は撮像レンズ１０のズーミングを制御するズーム制御部である。いずれもレンズマウント１１を介して撮像レンズ１０へ制御信号が伝達される。露光制御部４０、測距制御部４２はTTL方式を用いて制御されており、撮像した画像データを画像処理部２０によって演算した演算結果に基づき、システム制御回路５０が露光制御部４０、測距制御部４２に対して制御を行う。
【００２２】
外部ストロボ４８は、AF補助光の投光機能、フラッシュ調光機能も有する。外部ストロボ４８はホットシュー４９において着脱、取り替え可能である。ホットシュー４９に外部ストロボ４８が装着されている場合は、外部ストロボ(フラッシュ)接続検知部１０８によりシステム制御回路５０は外部ストロボ接続状態を知ることができる。また、不揮発性メモリ５８には外部ストロボ４８に関する所定の情報が予め記憶されており、システム制御回路５０は必要なときに情報を取得することができる。
【００２３】
システム制御回路５０は、不揮発性メモリ５８に記録されたプログラムを実行することで、デジタルカメラ１００の全体を制御し、後述する各実施形態の処理を実現する。５２はシステム制御回路５０の動作用の定数、変数、不揮発性メモリ５８から読み出したプログラム等を展開するメモリである。
【００２４】
表示制御部５４は、システム制御回路５０でのプログラムの実行に応じて、文字、画像、音声等を用いて動作状態やメッセージ等を画像表示部２８へ表示する制御を行う。表示制御部５４により画像表示部２８へ表示される内容としては、絞り値表示、露出補正表示、フラッシュ表示、マクロ撮影表示である。また、ブザー設定表示、電池残量表示、エラー表示、記録媒体２００の着脱状態表示、合焦表示、手ぶれ警告表示、ストロボ充電表示、シャッタースピード表示、絞り値表示、露出補正表示等がある。また、表示制御部５４は、ガイダンス７０の表示も制御する。
【００２５】
システム制御回路５０は、画像表示部２８の表示画面へ表示するガイダンス７０の表示位置と形状を決定するガイダンス位置形状決定処理を行う。不揮発性メモリ５８は電気的に消去・記録可能であり、例えばEEPROM等が用いられる。不揮発性メモリ５８には、システム制御回路５０の動作用の定数、プログラム等が記憶される。ここでいう、プログラムとは、後述の各実施形態における各種フローチャートを実行するためのプログラムのことである。５９はタイマである。
【００２６】
６０、６２、６４及び６６は、システム制御回路５０の各種の動作指示を入力するための操作部であり、スイッチやダイアル、タッチパネル、音声認識装置等の単数或いは複数の組み合わせで構成される。
【００２７】
ここで、これらの操作部の具体的な説明を行う。
モードスイッチ６０は、電源オフ、撮影モード（静止画撮影モード、自動撮影モード、動画撮影モードを含む）、再生モード、マルチ画面再生・消去モード、PC接続モード等の各機能モードを切り替え設定することができる。第１のシャッタースイッチ（SW1）６２は、シャッターボタン６１の操作途中でONとなり、AF（オートフォーカス）処理、AE（自動露出）処理、AWB（オートホワイトバランス）処理、ＥＦ（フラッシュプリ発光）処理、手ぶれ検出等の動作開始を指示する。
【００２８】
第２のシャッタースイッチ（SW2）６４は、シャッターボタン６１の操作完了でONとなり、撮像素子１４から読み出した信号をＡ／Ｄ変換器１６、メモリ制御部２２を介してメモリ３０に画像データを書き込む露光処理の動作開始を指示する。同時に、画像処理部２０やメモリ制御部２２での演算を用いた現像処理、メモリ３０から画像データを読み出し、圧縮・伸長部３２で圧縮を行い、記録媒体２００に画像データを書き込む記録処理という一連の処理の動作開始を指示する。また、動画撮影の場合は動画撮影の開始・停止を指示する。
【００２９】
タッチパネル６６は、各種操作が可能である。具体的に例示すると以下の通りとなる。メニュー、セット、マクロ、マルチ画面再生改ページ、フラッシュ設定、単写／連写／セルフタイマー切り替え（セルフ撮影モード）、メニュー移動＋（プラス）、メニュー移動−（マイナス）。再生画像移動＋（プラス）、再生画像−（マイナス）、撮影画質選択、露出補正、日付／時間設定。各種機能の選択及び切り替えを設定する選択／切り替え、各種機能の決定及び実行を設定する決定が可能である。
【００３０】
また、撮影直後に撮影した画像データを自動再生するクイックレビュー機能を設定するクイックレビューＯＮ／ＯＦＦ。撮影時にズームと広角を調節することが可能である。あるいは再生時に拡大／縮小を調節する、１画面表示／マルチ画面表示を切り替えるズーム操作が可能である。また、ＪＰＥＧ（Joint Photographic Expert Group）圧縮の圧縮率を選択することが可能である。或いは、撮像素子の信号をそのままデジタル化して記録媒体に記録するＣＣＤＲＡＷモードを選択するための圧縮モードを選択することも可能である。
【００３１】
電源制御部８０は、電池の装着の有無、電池の種類、電池残量の検出を行い、検出結果及びシステム制御回路５０の指示に基づいて、必要な電圧を必要な期間、記録媒体を含む各部へ供給する。
【００３２】
８２はコネクタ、８４はコネクタ、８６はアルカリ電池やリチウム電池等の一次電池やNiCd電池やNiMH電池、Li電池等の二次電池、ACアダプター等からなる電源部である。
９０はメモリカードやハードディスク等の記録媒体とのインターフェースである。９２はメモリカードやハードディスク等の記録媒体と接続を行うコネクタである。なお、本実施形態では記録媒体を取り付けるインターフェース及びコネクタを１系統持つものとして説明している。もちろん、記録媒体を取り付けるインターフェース及びコネクタは、単数或いは複数、いずれの系統数を備える構成としても構わない。
【００３３】
また、異なる規格のインターフェース及びコネクタを組み合わせて備える構成としても構わない。インターフェース及びコネクタとしては、PCMCIAカードやCF（コンパクトフラッシュ（登録商標））カード等の規格に準拠したものを用いて構成して構わない。さらに、インターフェース９０、そしてコネクタ９２に各種通信カードを接続することにより、他機器との間で画像データや画像データに付属した管理情報を転送し合うことができる。
【００３４】
９４は三脚を接続する三脚接続部である。三脚が接続されている場合は、三脚接続検知部１１４によりシステム制御回路５０は三脚の接続の有無を知ることができる。１０２はコネクタ９２に記録媒体２００が装着されているか否かを検知する記録媒体着脱検知部である。また、図示しないが、デジタルカメラ１００に取り付けられたレンズの型、または外部ストロボの型を検出するアクセサリー検出装置が設けられている。
【００３５】
１０４は外部出力コネクタ接続検知部であり、外部出力コネクタ２７に外部モニタが接続されていることを検知することができる。ここで、接続状態にあると検知したならば画像表示部２８の代わりに外部モニタを表示装置として用いることが可能である。
１０６は撮像レンズ接続検知部であり、レンズマウント１１に撮像レンズ１０が接続されていることを検知することができる。１０８は外部ストロボ接続検知部であり、ホットシュー４９に外部ストロボ４８が接続されていることを検知することができる。
【００３６】
１１０は手ぶれ検出部であり、デジタルカメラ１００の手ぶれ量を検出することができる。１１２は角度検出部であり、デジタルカメラ１００の傾き状態を検出することができる。三脚接続検知部１１４は、三脚接続部９４に三脚が接続されていることを検知することができる。１２０は通信部で、RS２３２CやUSB、IEEE１３９４、P１２８４、SCSI、モデム、LAN、無線通信、等の各種通信機能を有する。１２２は通信部１２０によりデジタルカメラ１００を他の機器と接続するコネクタ或いは無線通信の場合はアンテナである。
【００３７】
１２４はマイクで、音声データ取得部である。１２６はマイク１２４で得られた音声データをシステム制御回路５０で取得するためにA/D変換するA/D変換機である。
１２８はスピーカで、音声データ再生部である。１３０はシステム制御回路５０から出力されるデジタル音声データをスピーカ１２８で再生するためにD/A変換するD/A変換機である。
【００３８】
２００はメモリカードやハードディスク等の記録媒体である。
記録媒体２００は、半導体メモリや磁気ディスク等から構成される記録部２０２、デジタルカメラ１００とのインターフェース２０４、デジタルカメラ１００と接続を行うコネクタ２０６を備えている。また、この記録媒体２００がPCMCIA規格のPC-CardやCompact Flash等の場合は、性能が記されている情報記憶回路を内蔵していることもある。
【００３９】
以下、図を参照しながら上記の如く構成されたデジタルカメラ１００において、本発明の特徴であるガイダンス７０の表示の動作について説明する。
まず、画像表示部２８に表示されたガイダンス７０の表示例を図３（ａ）に示す。電子ファインダーとして使用されている画像表示部２８の画面上にガイダンス７０は表示される。ガイダンス７０は、撮影者が安定して筐体を把持できる、筐体を握って把持するときの親指が置かれる位置を指示している。なぜなら、ガイダンス７０の表示位置に撮影者の指が置かれると、自然と撮影者の筐体を把持する方法は、筐体を握って把持する方法となるためである。
【００４０】
以上のようにガイダンス７０は、撮影者の親指の置く位置を誘導することにより、撮影者の筐体を把持する方法を適切な方法へ誘導することを意図している。本実施形態において、ガイダンス７０は親指を模した表示形状であるが、撮影者の親指の置く位置を適切な位置へ誘導する、または撮影者の筐体を把持する方法を適切な方法へ誘導するものであれば、ガイダンス７０は親指を模した表示形状でなくてよい。
【００４１】
図４は、本実施形態のデジタルカメラ１００によるガイダンス７０の表示の動作手順を示すフローチャートである。
Ｓ４１において、モードスイッチ６０の操作により撮像モードに切り替えられたか否かを判断する（撮影モード検出）。この判断の結果、撮影モードでない場合、再生モードなど、その他のモードではＳ４２に進み、撮影者はカメラを把持する状態に起因する手ぶれの発生を気にしないため、ガイダンス７０は表示しない。
【００４２】
また、Ｓ４１の判断の結果、撮像モードに切り替えられると、デジタルカメラ１００は撮影の待機状態となり、画像表示部２８は電子ファインダーとして動作される。ここでいう、撮影モードは、静止画撮影モード、自動撮影モード、動画撮影モードを指す。この場合はＳ４３に進み、システム制御回路５０により、図５の後述するガイダンス位置・形状決定処理に基づいて、ガイダンス７０の表示位置と形状が決定される。
【００４３】
ここで、Ｓ４３において、システム制御回路５０が、ガイダンス７０の表示位置と形状を決定する動作について説明する。
図５は、Ｓ４３において行われるガイダンス位置・形状決定処理の動作手順を示すフローチャートである。
【００４４】
まず、Ｓ５１において、角度検出部１１２によって撮影者のデジタルカメラ１００を構えている状態を検出する。ここで、角度検出部１１２によってデジタルカメラ１００の状態が横向きであると検知された場合、Ｓ５２に進み、横向き用のガイダンス７０の表示位置と形状を決定する。
【００４５】
また、角度検出部１１２によってデジタルカメラ１００の状態が縦向きであると検知された場合、Ｓ５３に進み、縦向き用のガイダンス７０の表示位置と形状を決定する。ここで、カメラのフレームは、一般にカメラをそのまま構えると、横長の長方形の画面である。本発明においては、この横長の画面のまま、横方向つまり長手方向を水平方向とした向きを横向き、カメラを撮影光軸方向を変えずに９０°傾けて、長手方向を垂直とした向きを縦向きとする。
【００４６】
図３（ａ）は、横向き用のガイダンス７０が画像表示部２８に表示された表示例である。図３（ｂ）と図３（ｃ）は、縦向き用のガイダンス７０が画像表示部２８に表示された表示例である。図３（ｂ）は右手が上面にくる場合、図３（ｃ）は右手が下面にくる場合の表示例である。なお、図３（ａ）、図３（ｂ）、図３（ｃ）は、あくまで表示例であり、ガイダンス７０の表示位置と形状はデジタルカメラ１００の形態、もしくは画像表示部２８のサイズにより変わってよい。
【００４７】
図３（ａ）に示すデジタルカメラ１００と筐体のサイズは変わらず、筐体のサイズに対して画像表示部２８の占める面積が狭いときのガイダンス７０の表示例を図３（ｄ）に示す。デジタルカメラ１００と筐体のサイズは変わらないため、撮影者が筐体を正しく把持する方法をとったときに撮影者が指を置く位置は変わらない。しかし、画像表示部２８のサイズが小さく、デジタルカメラ１００の背面上において左側に寄っているため、撮影者が筐体を正しく把持する方法をとったときに撮影者の右手親指がかかる画像表示部２８の領域が小さい。そのため、画像表示部２８に表示するガイダンス７０の表示領域は小さくなっている。また、カメラの形態によっては、横向き用のガイダンス７０の表示位置と形状は、縦向き用のガイダンス７０のものと同じであってもよい。
【００４８】
前述のように、ガイダンス位置・形状決定処理によって決定された表示位置、形状のガイダンス７０は、後述するガイダンス表示決定処理フローに基づいて画像表示部２８への表示が決定される（Ｓ４３）。
【００４９】
ここで、Ｓ４４において、ガイダンス７０の表示を決定する動作について説明する。
図６は、Ｓ４４におけるガイダンス表示を決定する処理の動作手順を示すフローチャートである。
まず、Ｓ６１において、撮影者自身の撮影を行うセルフ撮影モードか否かを判断する（セルフ撮影検出処理）。この判断の結果、セルフタイマーの設定により、セルフ撮影モードであると判断された場合にはＳ６４に進み、ガイダンス７０を表示しないことを決定する。撮影モードにおいて、タッチパネル６６によりセルフタイマーが設定されると、セルフ撮影モードに切り替えられる。セルフ撮影モードでの撮影は、固定撮影決定となり、撮影者のカメラを把持する状態に起因する手ぶれは発生しないため、ガイダンス７０は表示しない。
【００５０】
一方、Ｓ６１の判断の結果、セルフ撮影モードでなかった場合にはＳ６２に進んで、三脚接続検知部１１４によって、三脚接続部９４に三脚が接続されているか否かを判断する。この判断の結果、三脚が接続されている場合にはＳ６４に進む。また、三脚の接続が検知されない場合、Ｓ６３に進み、表示制御部５４はガイダンス７０の表示を決定する。
【００５１】
図４の説明に戻る。
Ｓ４４において、ガイダンス表示制御処理が終了すると、次に、Ｓ４５に進み、表示制御部５４による表示の決定後、第１のシャッタースイッチ（SW1）６２がONされたか否かを判断する。この判断の結果、ONされた場合にはＳ４６に進み、第２のシャッタースイッチ（SW2）６４がONされたか否かを判断する。この判断の結果、第２のシャッタースイッチ（SW2）６４がONされるとＳ４７に進み、撮影の処理の動作が開始される。
【００５２】
また、Ｓ４６の判断の結果、第２のシャッタースイッチ（SW2）６４がONされていない場合にはＳ４８に進み、第１のシャッタースイッチ（SW1）６２がONされた状態であるか否かを判断する。この判断の結果、そうであるならばＳ４６に戻って第２のシャッタースイッチ（SW2）６４がONされるのを待機する。
【００５３】
一方、Ｓ４８の判断の結果、第１のシャッタースイッチ（SW1）６２がONされた状態ではない場合には、撮影の処理が開始されないので、Ｓ４３に戻る。この場合、ガイダンス７０の表示（Ｓ４３及びＳ４４）は行われており、途中でカメラの状態が縦横変わったとしても、ガイダンス７０の表示は、その都度更新される。これにより、撮影者を常に正しい把持の方法へ導くことができる。
【００５４】
本実施形態において、表示制御部５４により表示すると決定されたガイダンス７０は、決定されてから所定の期間のみ表示するようにしてもよい。この場合、所定の期間が経過した後は、表示していたガイダンスから表示位置、又は形状が変わらない間はそのまま表示しない。表示していたガイダンスから表示位置、又は形状が変わった場合は、新たな表示位置、又は形状のガイダンス７０を所定の期間、表示するとする。これは、所定の期間表示すれば、その期間に撮影者は筐体を把持する正しい方法へ変更することを想定しているためである。これにより、撮影者が筐体をすでに正しく把持している状態ではガイダンス７０を表示しないようにすることができる。もちろん、第２のシャッタースイッチ（SW2）６４のONによる撮影の処理の動作が開始されるまで、ガイダンス７０を表示し続けてもよい。
【００５５】
（第２の実施形態）
次に、本発明の第２の実施形態であるデジタルカメラ（撮像装置）について説明する。本発明の第２の実施形態であるデジタルカメラ（撮像装置）の構成ブロック図は、前述した第１の実施形態と同様である。
【００５６】
図７は、本実施形態のデジタルカメラ１００によるガイダンス７０の表示の動作手順を示すフローチャートである。本発明の第１実施形態と同様の動作については、同一の符号を付して説明を省略する。図７のＳ４１〜Ｓ４４までの動作は、図４のＳ４１〜Ｓ４４までと同様である。
【００５７】
本実施形態において、表示制御部５４によりガイダンス７０を表示すると決定された場合、Ｓ７１において、タッチパネル６６によって、ガイダンス７０の表示位置に撮影者の指が触れたことが検出されたか否かを判断する。この判断の結果、指が触れたことが検出された場合にはＳ７２に進んでガイダンス７０の表示を変化させる。その後、Ｓ４５に進む。また、Ｓ７１の判断の結果、指が触れたことが検出されなかった場合には、Ｓ４５に直接進む。
【００５８】
前述したように、本実施形態においては、タッチパネル６６によって、ガイダンス７０の表示位置に撮影者の指が触れたことが検出できることにより、撮影者が筐体を正しく把持したことを検出することができる。また、撮影者の指が触れたことが検出されるとガイダンス７０の表示を変化させることにより、ガイダンス７０の表示位置へ指が触れたことを撮影者に視認させやすくすることができる。
【００５９】
Ｓ７２において実行する表示の変化の例としては、表示の明滅や、表示の色、形状の変化などがある。さらに、同等の効果が得られれば表示を消してもよい。または、ガイダンス７０の表示位置へ指が触れたことを撮影者に知らせるアイコンを画像表示部２８に表示、もしくは音を鳴らすなど、その他の装置を用いてもよい。以降、図７のＳ４５からＳ４８までの動作は、図４のＳ４５からＳ４８までと同様である。
【００６０】
本実施形態において、ガイダンス７０の表示位置以外に撮影者の指が触れたことが検出されると、ガイダンス７０の表示は消される。これは、ガイダンス７０の表示位置以外へ撮影者の指が触れられる場合、撮影者はタッチパネル６６によってメニュー等の各種操作を行う意図であると想定されるからである。これにより、撮影者のカメラを把持する状態に起因する手ぶれは発生しないようにすることができる。また、撮影時以外状態で、ガイダンス７０の表示がメニュー表示等、他の表示や設定の邪魔をしないようにすることができる。
【００６１】
（第３の実施形態）
次に、本発明の第３の実施形態であるデジタルカメラ（撮像装置）について説明する。第３の実施形態のデジタルカメラ（撮像装置）の構成を示すブロック図は、前述した第１の実施形態と同様である。また、本実施形態のデジタルカメラ１００によるガイダンス７０の表示の動作手順を示すフローチャートは図４と同様である。したがって、本発明の第１の実施形態と同様の構成、動作については、説明を省略する。
【００６２】
図８は、本実施形態のガイダンス位置・形状決定処理の動作手順を示すフローチャートである。この処理は、図４のＳ４３において行われる処理の一例を説明する処理であり、第１の実施形態で説明した図５の処理に変わるものである。Ｓ４３以外の処理は第１の実施形態と同様である。
【００６３】
処理が開始されると、まず、Ｓ８１において、撮像レンズ接続検知部１０６によって、レンズマウント１１に撮像レンズ１０が接続されているか否かを判断する。この判断の結果、撮像レンズ１０が接続されている場合にはＳ８２に進み、システム制御回路５０は不揮発性メモリ５８に予め記憶されている撮像レンズ１０の重量（Ｗ１）と重心Ｇ１（Ｘ１，Ｙ１，Ｚ１）の情報を取得し、メモリ５２に記憶（取得）する。
【００６４】
本実施形態において、重心Ｇ１（Ｘ１，Ｙ１，Ｚ１）の情報は、デジタルカメラ１００単体の重心Ｇ０（Ｘ０，Ｙ０，Ｚ０）を位置の基準とした相対的な位置が記憶されているものとする。図９に不揮発性メモリ５８に記憶されている情報の一例を示す。
【００６５】
Ｓ８１の判断の結果、撮像レンズ１０が接続されていない場合、またはＳ８２の処理が終了した場合にはＳ８３に進み、ホットシュー４９に外部ストロボ４８が接続されているか否かを外部ストロボ（フラッシュ）接続検知部１０８によって判断する。この判断の結果、外部ストロボ４８が接続されている場合はＳ８４に進み、システム制御回路５０は不揮発性メモリ５８に予め記憶されている外部ストロボ４８の重量（Ｗ２）と重心Ｇ２（Ｘ２，Ｙ２，Ｚ２）の情報を取得、メモリ５２に記憶（取得）する。本実施形態においては、外部ストロボ４８の重心Ｇ２（Ｘ２，Ｙ２，Ｚ２）の情報は、デジタルカメラ１００単体の重心Ｇ０（Ｘ０，Ｙ０，Ｚ０）を位置の基準とした相対的な位置が記憶されているものとする。
【００６６】
Ｓ８３の判断の結果、外部ストロボ４８が接続されていない場合、またはＳ８４の処理が終了した場合にはＳ８５に進む。Ｓ８５においては、カメラの状態に応じたデジタルカメラ１００全体の重量（Ｗ）と重心Ｇ（Ｘ，Ｙ，Ｚ）を求める。メモリ５２に記憶したデジタルカメラ１００単体の重量（Ｗ０）と、重心Ｇ０（Ｘ０，Ｙ０，Ｚ０）と、メモリ５２に記憶した撮像レンズ１０、又は外部ストロボ４８の重量と重心の情報から、所定の演算によって求める。
【００６７】
以下に、前述の所定の演算について説明する。システム制御回路５０により、記憶された撮像レンズ１０、又は外部ストロボ４８の重量と重心の情報から、カメラの状態に応じたデジタルカメラ１００全体の重量（Ｗ）と重心Ｇ（Ｘ，Ｙ，Ｚ）が下記の数式（１）〜（４）により計算される。
Ｗ＝Ｗ０＋Ｗ１＋Ｗ２                                    （１）
Ｘ＝（Ｗ１・Ｘ１＋Ｗ２・Ｘ２）／（Ｗ０＋Ｗ１＋Ｗ２）    （２）
Ｙ＝（Ｗ１・Ｙ１＋Ｗ２・Ｙ２）／（Ｗ０＋Ｗ１＋Ｗ２）    （３）
Ｚ＝（Ｗ１・Ｚ１＋Ｗ２・Ｚ２）／（Ｗ０＋Ｗ１＋Ｗ２）    （４）
ここで、重心Ｇ１（Ｘ１，Ｙ１，Ｚ１）、重心Ｇ２（Ｘ２，Ｙ２，Ｚ２）は、重心Ｇ０（Ｘ０，Ｙ０，Ｚ０）からの相対的な位置を表すため、重心Ｇ（Ｘ，Ｙ，Ｚ）も重心Ｇ０からの相対的な位置として求められる。
【００６８】
撮像レンズ１０と外部ストロボ４８が接続されたデジタルカメラ１００を、デジタルカメラ１００単体の重心位置を原点としてＸ−Ｚ平面に切った模式図を、例として図１０に示す。図１０において、デジタルカメラ１００単体の重心Ｇ０（Ｘ０，Ｚ０）を中心位置として、撮像レンズ１０の重心Ｇ１（Ｘ１，Ｚ１）と外部ストロボ４８の重心Ｇ２（Ｘ２，Ｚ２）が座標上に示されている。各重心の位置からＺ軸の負の方向に向かう矢印は、それぞれデジタルカメラ１００単体の重量Ｗ０、撮像レンズ１０の重量Ｗ１、外部ストロボ４８の重量Ｗ２を示す。
【００６９】
前述した数式（２）と（４）とによって求められたデジタルカメラ１００全体の重心が重心Ｇ（Ｘ，Ｚ）として座標上に示されている。また、前述の数式（１）によって求められた重量（Ｗ）は、重心Ｇの位置からＺ軸の負の方向に向かう矢印で示されている。図１０には示されていないが、重心ＧのＹ座標も前述の数式（３）によって同様に求められる。図１０には原点は示されていないが、原点からの絶対位置を求める場合は、各重心の座標にＧ０（Ｘ０，Ｙ０，Ｚ０）を足せば求められる。
【００７０】
前述のように、デジタルカメラ１００全体の重量（Ｗ）と重心Ｇ（Ｘ，Ｙ，Ｚ）とを求めた後、角度検出部１１２によって撮影者のカメラを構えている状態を検知する（Ｓ８６）。ここで、角度検出部１１２によってカメラの状態が横向きであると検知された場合について説明する。メモリ５２に記憶されているデジタルカメラ１００全体の重量（Ｗ）と重心Ｇ（Ｘ，Ｙ，Ｚ）から、デジタルカメラ１００単体の重心Ｇ０（Ｘ０，Ｙ０，Ｚ０）を中心とした力のモーメントの絶対値｜Ｎ｜が下記の数式（５）によって求められる。
｜Ｎ｜＝√｛（Ｘ）2＋（Ｙ）2＋（Ｚ）2｝×Ｗ                    （５）
【００７１】
次に、上記数式（５）で求められた力のモーメントの絶対値｜Ｎ｜と、あらかじめメモリ５２に記憶されている各閾値とが比較される。そして、その比較結果に基づき、横向き用のガイダンス７０の表示位置と形状とが決定される（ステップ８７）。
【００７２】
前述の数式（５）で求められた力のモーメントの絶対値｜Ｎ｜が、予め記憶されている閾値以上である場合、デジタルカメラ１００の重量が重い、または重心がデジタルカメラ１００単体の重心から大きく離れており、筐体が傾きやすい状態であると考えられる。このとき表示されるガイダンス７０の表示例を図１１（ａ）に示す。図１１（ａ）に示すガイダンス７０では、点線が囲む領域の面積が図３（ａ）に比べて広く、撮影者が筐体を保持する方法を、親指の指先だけでなく、親指全体で保持するよう導くことを意図している。
【００７３】
このように、デジタルカメラ１００に対して撮影者の手が接触する面を増やすことは、撮影者はより安定して筐体を把持できることに繋がる。よって、前記のようにガイダンス７０を表示することで、撮影者をより安定した把持の方法へ導き、また、より手ぶれの起こりにくい把持の方法へ導くことができる。
一方、前述の数式（５）で求められた力のモーメントの絶対値｜Ｎ｜が、予め記憶されている閾値以下である場合は、デジタルカメラ１００の重量が軽い。または、または重心がデジタルカメラ１００単体の重心から離れておらず、筐体が傾きやすい状態ではないと考えられる。そのため、ガイダンス７０は図３（ａ）で示すような通常の表示でよい。
【００７４】
一方、Ｓ８６の判断の結果、角度検出部１１２によってカメラの状態が縦向きであると検知された場合はＳ８８に進み、同様にして、前述の数式（５）で求められた力のモーメントの絶対値｜Ｎ｜と、予めメモリ５２に記憶されている各閾値とが比較される。そして、その比較結果に基づき、縦向き用のガイダンス７０の表示位置と形状を決定する。
【００７５】
求められた力のモーメントの絶対値｜Ｎ｜が、予め記憶されている閾値以上である場合に表示される、ガイダンス７０の表示例を図１１（ｂ）、図１１（ｃ）に示す。図１１（ｂ）は右手が上面にくる場合、図１１（ｃ）は右手が下面にくる場合の表示例である。図１１（ｂ）、図１１（ｃ）に示すガイダンス７０は、図１１（ａ）で示すガイダンス７０と意図は同様である。前述の数式（５）で求められた力のモーメントの絶対値｜Ｎ｜が、予め記憶されている閾値以下である場合は、ガイダンス７０はそれぞれ図３（ｂ）、図３（ｃ）で示すような通常の表示でよい。
【００７６】
前述の第１ないし第３の実施形態において、ガイダンス７０は撮影者の右手親指の位置を導くことを意図した位置、形状となっているが、カメラの形態によっては撮影者の左手親指の位置を導く位置、形状であってもよい。カメラの形態としては、例えば筐体上面の左側にシャッターボタン６１が配置されている場合が挙げられる。撮影者の左手親指の位置を導くことを意図した位置、形状のガイダンス７０の表示例を図１２（ａ）に示す。
【００７７】
また、前述の第１ないし第３の実施形態において、ガイダンス７０の表示位置と形状は、撮影者の一方の手、例えばシャッターボタン６１を押下する側の手を導くことを意図している。しかし、ガイダンス７０は撮影者のもう一方の手が筐体を把持する方法を指示してもよい。図１２（ｂ）に撮影者の左右両方の手を導くことを意図したガイダンス７０の表示例を示す。撮影者の右手の親指の置く位置を導くガイダンス７０を表示すると同時に撮影者の左手の置く位置を導くガイダンス７０が表示されている。左手を導くガイダンス７０の表示も、左手を正しい位置へ導く意図のものであれば形状にはこだわらない。また、図１２（ｃ）に撮影者の左右両方の手を導くことを意図した異なる形状のガイダンス７０の表示例を示す。図１２（ｃ）では、ガイダンス７０は文字で表示されている。
【００７８】
また、前述の第１ないし第３の実施形態において、ガイダンス７０の表示位置の調整モードを設け、タッチパネル６６によって画像表示部２８に指が触れている領域を検出して、その領域に指を誘導するようにガイダンス７０の表示領域を変更してもよい。これにより、より精度よく正しい把持方法へ撮影者を導くことができ、より撮影者のカメラを把持する状態に起因する手ぶれを低減することができる。
【００７９】
また、前述の第１ないし第３の実施形態において、デジタルカメラ１００は手ぶれ検出部１１０を備えており、Ｓ４５（図４及び図７）において手ぶれを検出してもよい。その場合、手ぶれを検出により手ぶれが発生していると判断されたときのみ、撮影者のカメラを把持する状態に起因する手ぶれは発生しているため、ガイダンス７０は表示するとしてよい。これにより、より撮影者のカメラを把持する状態に起因する手ぶれを補正する必要のあるときに、撮影者のカメラを把持する状態を正しい位置へ導くことができる。
【００８０】
なお、システム制御回路５０の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８１】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記録媒体を介してシステム或いは装置に供給する。そして、そのシステム或いは装置のコンピュータ（またはＣＰＵやＭＰＵ等）がプログラムを読み出して実行する処理である。
【符号の説明】
【００８２】
２８  画像表示部、４９  ホットシュー、６６  タッチパネル、６０  モードスイッチ、６１  シャッターボタン、６６  タッチパネル、７０  ガイダンス、１００  デジタルカメラ、１２２  コネクタ、２００  記録媒体、２０１  記録媒体スロット、２０３  蓋
【図１】
2011199756.tif 000003
【図２】
2011199756.tif 000004
【図３】
2011199756.tif 000005
【図４】
2011199756.tif 000006
【図５】
2011199756.tif 000007
【図６】
2011199756.tif 000008
【図７】
2011199756.tif 000009
【図８】
2011199756.tif 000010
【図９】
2011199756.tif 000011
【図１０】
2011199756.tif 000012
【図１１】
2011199756.tif 000013
【図１２】
2011199756.tif 000014
【図１３】
2011199756.tif 000015